(57)【要約】【課題】浴槽に隣接する浴槽前床の高さを抑制することができる浴室ユニットを提供する。【解決手段】浴室ユニット１００は、底部１１に排水栓１２を有して湯を溜める浴槽１と、浴槽１に隣接する浴槽前床５０と、浴槽１の下方側から排水栓１２に接続される排水部３と、を備える。排水部３は、浴槽１の下方に配設されるトラップ部を有する。【選択図】図２
2019141423.tif 000002
【特許請求の範囲】
【請求項１】
底部に排水栓を有して湯を溜める浴槽と、前記浴槽に隣接する浴槽前床と、前記浴槽の下方側から前記排水栓に接続される排水部と、を備える浴室ユニットにおいて、
前記排水部は、前記浴槽の下方に配設されるトラップ部を有することを特徴とする浴室ユニット。
【請求項２】
排水管を有する機能部品が前記浴槽前床に接する壁部に寄せて設けられており、
前記排水管が前記壁部に向かって延びるように配設されていることを特徴とする請求項１に記載の浴室ユニット。
【請求項３】
前記機能部品は洗面器および便器装置であり、
前記洗面器の排水管の下方に前記便器装置の排水管が配設されていることを特徴とする請求項２に記載の浴室ユニット。
【請求項４】
前記排水管の上方にカウンタが設けられていることを特徴とする請求項２または３に記載の浴室ユニット。
【発明の詳細な説明】
【技術分野】
【０００１】
本発明は、浴室ユニットに関する。
【背景技術】
【０００２】
浴室ユニットは、湯を溜める浴槽と、浴槽に隣接して配設された浴槽前床を有する。浴室ユニットは、周囲を壁パネル、上方を天井パネルで覆われている。浴室ユニット内の空間には、浴槽のほか、洗面器やトイレが設けられることもあり、ユーザがより快適に浴室ユニットを利用するための工夫がなされている。
【０００３】
例えば、特許文献１には、床面の一方側に設けられた浴槽と、床面の他方側に設けられた便器装置と、浴槽と便器装置との間に配設されたサッシとを備えるユニットバスが開示されている。ユニットバスは、浴槽が設けられた側をバスルーム、便器装置が設けられた側をトイレルームとする別部屋に仕切られている。
【先行技術文献】
【特許文献】
【０００４】
【特許文献１】実用新案登録第３１４９１２９号公報
【発明の概要】
【発明が解決しようとする課題】
【０００５】
特許文献１に記載のユニットバスは、浴槽の排水部および便器装置の排水管をどのように設けているかが不明となっている。ところで、浴槽の排水部、並びに、洗面器および便器装置の排水管を浴室ユニットにおいて配設する場合、配設する位置や高さによっては、浴室ユニット内が狭くなってしまう。排水部や排水管を浴槽に隣接する浴槽前床の下方に配置する場合には、浴槽前床が高くなり、浴室ユニットの外部の床面と段差が生じてしまう。
【０００６】
本発明は、斯かる事情に鑑みてなされたものであり、その目的とするところは、浴槽に隣接する浴槽前床の高さを抑制することができる浴室ユニットを提供することにある。
【課題を解決するための手段】
【０００７】
本発明に係る浴室ユニットは、底部に排水栓を有して湯を溜める浴槽と、前記浴槽に隣接する浴槽前床と、前記浴槽の下方側から前記排水栓に接続される排水部と、を備える浴室ユニットにおいて、前記排水部は、前記浴槽の下方に配設されるトラップ部を有することを特徴とする。
【発明の効果】
【０００８】
本発明によれば、浴室ユニットは、浴槽に隣接する浴槽前床の高さを抑制することができる。
【図面の簡単な説明】
【０００９】
【図１】実施形態に係る浴室ユニットの外観を示す斜視図である。
【図２】実施形態に係る浴室ユニットの縦断面図である。
【図３】図２のＡ−Ａ線による浴室ユニットの断面図である。
【図４】排水部の部分を拡大した断面図である。
【図５】洗面器の部分の側面図である。
【図６】変形例に係る浴室ユニットの図３に相当する断面図である。
【発明を実施するための形態】
【００１０】
以下、本発明を好適な実施の形態をもとに図１から図６を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
（実施形態）
図１は実施形態に係る浴室ユニット１００の外観を示す斜視図、図２は実施形態に係る浴室ユニット１００の縦断面図、図３は図２のＡ−Ａ線による浴室ユニット１００の断面図である。尚、図１においては浴室ユニット１００の手前側の壁パネルを省略した。浴室ユニット１００は、浴槽１、排水部３、仕切部４、浴槽前床５０および壁部６０等を有する。浴槽１は、平面視矩形状をなし、湯を溜めることができる深皿状である。浴槽１は、上縁部１０に配設された壁部６０および仕切部４によって周囲が覆われ、上方を天井６１によって覆われている。仕切部４は、浴槽１の上縁部１０の４辺のうち、浴槽１に隣接する浴槽前床５０側の一辺に設けられている。
【００１２】
仕切部４は、固定板４１および開閉可能な引き戸である扉４２を有しており、浴槽１と浴槽前床５０とは、間仕切りとしての固定板４１および扉４２によって仕切られている。固定板４１は仕切部４が配設された浴槽１の上縁部１０における一端側に設けられており、扉４２は他端側に設けられている。固定板４１の浴槽前床５０側には、固定板４１を覆うパネル４３が設けられている。またパネル４３の下側には、浴槽１の浴槽前床５０の側面を覆うエプロン６５が着脱可能に取り付けられている。浴室ユニット１００への入り口６２には、引き戸である開閉扉６３が設けられ、入り口６２を開閉することができる。尚、開閉扉６３は引き戸に限られず、開き戸、引違い戸、折れ戸などであってもよい。
【００１３】
浴槽前床５０には洗面器７０、便器装置７１およびカウンタ７２等が配置されている。浴槽前床５０の部分における壁部６０ｃには、鏡７３、および衣類やタオルを収納する収納棚７４などを配置する。また、パネル４３には、タオル掛け７５およびフック７６などを配置する。洗面器７０、便器装置７１、カウンタ７２、鏡７３、収納棚７４、タオル掛け７５およびフック７６等は、ユーザが浴槽前床５０を使用する際に機能を発揮する機能部品である。浴槽前床５０は、これらの機能部品を備えることで、ユーザにとって利用性が高い空間を提供する。これらの機能部品のうち、洗面器７０および便器装置７１は排水管を有する機能部品に相当しており、各排水管をコンパクトに納めるために浴槽前床５０に接する壁部６０ｃに寄せて配置されている。
【００１４】
仕切部４において、固定板４１は、専ら浴槽１側の水仕舞いに用い、固定板４１を覆うように設けたパネル４３は、浴槽前床５０側における機能性を高めるために用いられる。尚、浴槽前床５０は、水の受け皿として機能させるものではないため、排水口は設けられていない。
【００１５】
浴槽１は、底部１１に排水栓１２、および内側面等にオーバーフロー栓（図示略）を有し、排水栓１２を閉状態にして浴槽１に湯を溜めることができ、排水栓１２を開状態にして浴槽１から湯を抜く。浴槽１の長手方向の一端側における壁部６０ｂには、シャワー装置２１および給水装置２２が配設されている。ユーザは、浴槽１内において、シャワー装置２１からの湯水を浴び、給水装置２２によって浴槽１に湯を溜めて入浴する。浴槽１の下方には排水部３が設けられている。
【００１６】
図４は、排水部３の部分を拡大した断面図である。排水部３は、トラップ部３１、排水管３２およびオーバーフロー配管３３（一部省略）等を備える。浴槽１の下方には浴槽１の湯水が外部に漏れないよう浴槽パン１３が設けられており、排水部３は、浴槽パン１３の内部であって、浴槽１と浴槽パン１３との間の空間に配設されている。トラップ部３１は、トラップ本体３１ａの内部に封水筒体３１ｂが配置され、トラップ本体３１ａの側方へ排水する。封水筒体３１ｂは、排水栓１２からの排水をトラップ本体３１ａに流下させて、トラップ本体３１ａに水が溜まった状態に保つ。トラップ部３１は、排水栓１２との取付箇所において漏水しないようにパッキン等で水密に封止されている。
【００１７】
トラップ部３１からの排水は、浴槽パン１３を貫通して外部に延びる排水管３２を通して外部に排出される。浴槽パン１３は、排水管３２が貫通する箇所において漏水しないようにパッキン等で水密に封止されている。トラップ部３１にはオーバーフロー配管３３の一端部が接続されている。オーバーフロー配管３３は、浴槽１に設けられたオーバーフロー栓（図示略）に他端部で接続されており、該オーバーフロー栓からの湯水をトラップ部３１へ通流させ、排水管３２を通して排出する。
【００１８】
図１に戻り、仕切部４の扉４２は、上述のとおり引き戸であり、固定板４１の浴槽１側をスライドし、固定板４１が設けられた浴槽１の上縁部１０の一端側に対して反対側となる他端側を開口させる。固定板４１および扉４２は、例えば、長方形状に組み立てられた框の内側にガラス製または樹脂製等の板体を嵌め込んで構成されており、透明性を有することで浴室ユニット１００内の空間の見通しが良く、また空間が広いという印象をユーザに与える。
【００１９】
固定板４１および扉４２は、仕切部４において、浴槽１の長手方向の両端部における壁部６０ａおよび６０ｂ、浴槽１の上縁部１０、並びに天井６１に配設された枠体の内側に嵌め込まれている。固定板４１は枠体に固定されている。扉４２は下枠や上枠に設けたレールに沿ってスライド可能としてある。仕切部４は、扉４２を開状態とすることによって、壁部６０ａから浴槽１の長手方向の中央部付近までが開口する。
【００２０】
固定板４１の周縁部には、浴槽１側から浴槽前床５０側へ漏水しないように、周縁部において枠体との間を水密に封じるシール材、および浴槽前床５０側へ一旦流出した水が浴槽１側へ還流する水返し機構などが枠体も含めて設けられる。固定板４１は、透明性のあるガラス製または樹脂製とすることで耐水性も良くなるが、嗜好に合わせて半透明であってもよい。また、固定板４１は、内側に断熱材等による芯体を設け、該芯体の表面に耐水性のある樹脂や金属製などによる表面材は貼り合わせたサンドウィッチ構造のパネル部材であってもよい。この場合、固定板４１は透明でない構成にもなり得る。
【００２１】
パネル４３は、固定板４１が設けられた浴槽１の上縁部１０の一端側である壁部６０ｂ（または壁部６０ｃ）から、上縁部１０に沿って固定板４１の中途部まで設けられている。パネル４３は、芯材および補強材の両面に表面材を貼り合わせるようにして構成されている。芯材には、例えば、ＥＰＳ（Expanded Polystyrene）、ＸＰＳ（Extruded Polystyrene）などの発泡スチロール等を用い、補強材は釘打ちやねじ止め等による機能部品の固定が可能な木材等を用いる。表面材は、樹脂または木材等の板またはシートであり、表面にユーザの嗜好に合わせた模様や色付けが施こすことができるものである。
【００２２】
洗面器７０は、カウンタ７２の下方に延びる排水管７０ａおよび給水給湯配管７０ｂを有している。カウンタ７２の前縁から前板７２ａが垂下しており、洗面器７０の排水管７０ａおよび給水給湯配管７０ｂは前板７２ａによって隠れている。図５は、洗面器７０の部分の側面図である。図５において給水給湯配管７０ｂの記載は省略されている。排水管７０ａは、洗面器７０の下方に延び、Ｕ字状のトラップ部分を経由して壁部６０ｃに向かって延びる。
【００２３】
排水管７０ａは、例えば、壁部６０ｃに向かって延びた後、壁部６０ｃを貫通して壁部６０ｃ裏のスペースを建築側の雑排水管に向けて配管する。また、排水管７０ａは、壁部６０ｃに向かって延びた後、例えば図２における点線で示すように、下方に向かい、屈曲させて浴槽１側へ延びるように配設し、排水部３から延びる排水管３２の中途部に接続されていても良いし、排水管３２とは別に建築側の雑排水管に接続されていてもよい。
【００２４】
便器装置７１は、洋式便器であり、後方側を壁部６０ｃに対向させるようにして配置されている。便器装置７１の排水管７１ａは、便器装置７１の後部から壁部６０ｃに向かって延び、壁部６０ｃの手前で屈曲して壁部６０ｃに沿って浴槽１側へ向かって延びる。排水管７１ａは、浴槽１の裏側の空間を通って浴室ユニット１００外部側へ延び、建築側の汚水排出管に接続される。壁部６０ｃに沿って浴槽１側へ延びる排水管７１ａは、カウンタ７２、洗面器７０および排水管７０ａの下方を通っており、カウンタ７２の前板７２ａによって隠れている。
【００２５】
次に浴室ユニット１００の作用について説明する。浴室ユニット１００は、浴槽１の下方に排水部３が接続されている。排水部３は浴槽１の下方に配設されるトラップ部３１を有しているので、浴槽前床５０の下方にトラップ部を設ける必要がなく、浴槽前床５０の高さを抑制することができる。
【００２６】
洗面器７０の排水管７０ａは、壁部６０ｃに向かって延び、その後、浴槽１側へ延びるように設けるか、または壁部６０ｃを貫通して壁部６０ｃ裏のスペースに配管することで、浴槽前床５０の下方で配管する必要がなくなる。同様に、便器装置７１の排水管７１ａも、壁部６０ｃに向かって延び、その後、浴槽１側へ延びるように設けるか、または壁部６０ｃを貫通して壁部６０ｃ裏のスペースに配管することで、浴槽前床５０の下方で配管する必要がなくなる。
【００２７】
便器装置７１の排水管７１ａを壁部６０ｃに向かって延ばした後、浴槽１側へ延びるように配設することによって、壁部６０ｃの裏側の配管スペースを狭くし、壁部６０ｃを建築側の壁面に近づけられるので、浴室ユニット１００内の空間を広くすることができる。
【００２８】
また、便器装置７１の排水管７１ａは、カウンタ７２、洗面器７０および排水管７０ａの下方を通っており、カウンタ７２の下のスペースを有効活用できる。一方、洗面器７０の排水管７０ａおよび便器装置７１の排水管７１ａの上方にカウンタ７２を設けることで各排水管の上方の空間を機能的に利用することができる。
【００２９】
また、カウンタ７２の前縁から垂下する前板７２ａを設けることで洗面器７０の排水管７０ａおよび便器装置７１の排水管７１ａを隠すことができ、浴槽前床５０の内部空間の見栄えが良くなり、ユーザが心地よく浴槽前床５０を使用することができる。
【００３０】
次に、実施形態に係る浴室ユニット１００の特徴を説明する。
本発明の実施形態の浴室ユニット１００は、底部１１に排水栓１２を有して湯を溜める浴槽１と、浴槽１に隣接する浴槽前床５０と、浴槽１の下方側から排水栓１２に接続される排水部３と、を備える。排水部３は、浴槽１の下方に配設されるトラップ部３１を有する。これにより、浴室ユニット１００は、浴槽前床５０の下方にトラップ部を設ける必要がなく、浴槽前床５０の高さを抑制することができる。
【００３１】
また、排水管（排水管７０ａおよび排水管７１ａ）を有する機能部品（洗面器７０および便器装置７１）が浴槽前床５０に接する壁部６０ｃに寄せて設けられており、排水管が壁部６０ｃに向かって延びるように配設されている。これにより、浴室ユニット１００は、機能部品からの排水管を浴槽前床５０の下方で配管する必要がなく、浴槽前床５０の高さを抑制することができる。
【００３２】
また機能部品は、洗面器７０および便器装置７１であり、洗面器７０の排水管７０ａの下方に便器装置７１の排水管７１ａが配設されている。これにより、浴室ユニット１００は、排水管７０ａの下方におけるスペースを有効に活用することができる。
【００３３】
また排水管の上方にカウンタが設けられているので、浴室ユニット１００は、洗面器７０の排水管７０ａおよび便器装置７１の排水管７１ａの上方におけるスペースを有効に活用することができる。
【００３４】
（変形例）
図６は、変形例に係る浴室ユニット１００の図３に相当する断面図である。この変形例に係る浴室ユニット１００において、便器装置７１の排水管７１ａは、壁部６０ｃに向かって延びた後、屈曲して壁部６０ｃに沿って浴槽１の方向へ延び、更に屈曲して壁部６０ｃを貫通するように配管してある。便器装置７１の排水管７１ａは、建築側の排水管への接続位置に応じて適切な位置で浴室ユニット１００の壁部を貫通させて、浴室ユニット１００の外部に引き出すように配管することができる。洗面器７０の排水管７０ａについても、同様に、建築側の排水管への接続位置に応じて適切な位置で浴室ユニット１００の壁部を貫通させて、浴室ユニット１００の外部に引き出すように配管することができる。
【００３５】
洗面器７０の排水管７０ａは、排水部３に設けられるトラップ部３１の上流側に接続されていてもよい。この場合、洗面器７０の排水管７０ａにおいてトラップ部を設ける必要がなくなる。一方、浴槽１からの排水経路におけるトラップ部３１の上流側、例えばオーバーフロー配管３３に洗面器７０からの排水管７０ａを連結する連結箇所を設ける必要がある。
【００３６】
上述の実施形態においては、浴槽１および浴槽前床５０を仕切る仕切部４が設けられている。浴室ユニット１００は、仕切部４が設けられていない場合にも、排水部３、洗面器７０の排水管７０ａおよび便器装置７１の排水管７１ａ等を上述の実施形態と同様に構成することができる。
【００３７】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００３８】
１  浴槽、  １１  底部、  １２  排水栓、  ３  排水部、  ５０  浴槽前床、
６０ｃ  壁部、  ７０  洗面器（機能部品）、  ７０ａ  排水管、
７１  便器装置（機能部品）、  ７１ａ  排水管、  ７２  カウンタ、
１００  浴室ユニット。
【図１】
2019141423.tif 000003
【図２】
2019141423.tif 000004
【図３】
2019141423.tif 000005
【図４】
2019141423.tif 000006
【図５】
2019141423.tif 000007
【図６】
2019141423.tif 000008